(57)【要約】      （修正有）【課題】鴨居またはドアの上枠に固定したままで襖またはドアを開閉することができ、そしてたくさんの干し物を掛けられ、鴨居またはドアの上枠から外れにくい室内干しハンガーを提供する。【解決手段】本体１を鴨居またはドアの上枠１０に掛けられるように本体１の上側に垂直方向に突出する固定部の上端部２と、本体１の下側の両端に垂直方向に突出する固定部の下端部３を設け、固定部の下端部３にネジ５を通すための穴とナットを入れるための溝を設けており、ネジ５を穴とナットに通し、ネジの先端部にゴムキャップ７を被せ、２本のネジの頭部４を調整して鴨居またはドアの上枠１０の下面に当てることによって、本体１を鴨居またはドアの上枠１０にしっかり固定できるようになり、さらに固定した際に固定部の下端部３の幅ｃを、鴨居と襖の間またはドアの上枠とドアの間ｄを超えないように設け、襖またはドア１１を自由に開閉できる。【選択図】図３
0003230581.tif 000002
【実用新案登録請求の範囲】
【請求項１】
２本のネジの頭部（４）を調整し、本体（１）を隙間なく鴨居またはドアの上枠（１０）の正面とくっ付けるように鴨居またはドアの上枠（１０）に掛け、ネジのゴムキャップ（７）を鴨居またはドアの上枠（１０）の下面にしっかりと当たるようにドライバーでネジを締めることによって、本体（１）を鴨居またはドアの上枠にしっかり固定し、且つ襖またはドア（１１）を閉めても本体（１）に当たらないような、固定部の下端部（３）の幅（ｃ）を設けることで、本体（１）を固定したままで襖またはドア（１１）を自由に開閉できることを特徴とする室内干しハンガー。
【請求項２】
鴨居またはドアの上枠（１０）と平行方向に複数のハンガー係止部（８）を設けることにより、たくさんの干し物を掛けられ、本体（１）の両端のネジ（５）で固定しているため、鴨居またはドアの上枠（１０）にかかる負荷が分散され、より安定にたくさんの干し物を掛けられることを特徴とする請求項１記載の室内干しハンガー。
【請求項３】
固定部の上端部（２）に滑り止めの役割を果たすギザギザした凹凸部（９）を設け、且つハンガー係止部（８）を本体（１）の後方側（襖またはドア１１に近い側）に設けることによって重心が後方寄りとなり、たくさんの干し物を掛ける際に本体（１）が鴨居またはドアの上枠（１０）から外れにくくできることを特徴とする請求項１記載の室内干しハンガー。
【考案の詳細な説明】
【技術分野】
【０００１】
本考案は、鴨居またはドアの上枠に釘などで傷つけることなく、簡単かつしっかりと固定することができ、固定したままで襖またはドアも自由に開閉でき、且つ簡単に安全にたくさんの干し物を掛けられる室内干しハンガーに関するものである。
【背景技術】
【０００２】
雨天時に室内で干し物を掛ける際に、干す場所が限りられていることから、鴨居またはドアの上枠にハンガー掛けやハンガーフックなどを固定し、そこにハンガーで干し物を掛けることが多かった。釘でハンガー掛けなどを固定すると、傷を付けてしまうし、ネジ式やバネ式などの挟むタイプのものを使用する場合は、固定したままでは襖またはドアを完全に閉められないことが多かった。
【０００３】
また、ネジ式のハンガー掛けは１本のネジで鴨居またはドアの上枠に固定するものがほとんどで、より多くの干し物を掛けられるように鴨居またはドアの上枠と垂直方向に、フックまたはハンガー係止部などが長く設けられたものしかなく、すべての負荷が鴨居またはドアの上枠の1箇所にのみかけられるから、耐荷重の制限でたくさんの干し物を掛けられなかった。
【考案の概要】
【考案が解決しようとする課題】
【０００４】
解決しようとする課題は上述の如く、釘を使用せずにハンガー掛けをしっかりと鴨居またはドアの上枠に固定するために、ネジ式やバネ式などの挟むタイプが多く、そのようなものを使用すると襖またはドアを閉める際にハンガー掛けに当たってしまい、完全に閉められなくなるため、固定したハンガー掛けを一旦取り外し、干し物を掛けるために再び鴨居またはドアの上枠に固定する手間が掛かってしまうという欠点があった。
【０００５】
また、ネジ式のハンガー掛けは1本のネジで鴨居またはドアの上枠に固定するものがほとんどで、より多くの干し物を掛けるには、鴨居またはドアの上枠と垂直方向に、フックまたはハンガー係止部などが長く作られているものを使用できるが、すべての負荷が鴨居またはドアの上枠の1箇所にのみかけられるから、耐荷重の制限でたくさんの干し物を掛けられないという欠点もあった。
【課題を解決するための手段】
【０００６】
本考案は、２本のネジの頭部４を調整し、本体１を隙間なく鴨居またはドアの上枠１０の正面とくっ付けるように鴨居またはドアの上枠１０に掛け、ネジのゴムキャップ７を鴨居またはドアの上枠１０の下面にしっかり当たるようにドライバーでネジを締めることによって、本体１を鴨居またはドアの上枠１０にしっかり固定し、且つ襖またはドア１１を閉めても本体１に当たらないような、固定部の下端部３の幅ｃを設けることで、本体１を固定したままで襖またはドア１１を自由に開閉できるようにしたものである。
【０００７】
また、鴨居またはドアの上枠１０と平行方向に複数のハンガー係止部８を設けることによりたくさんの干し物を掛けられ、本体１の両端のネジ５で固定することにより、鴨居またはドアの上枠１０にかかる負荷が分散され、より安定に干し物を掛けられるようになり、さらに固定部の上端部２に滑り止めの役割を果たすギザギザした凹凸部９を設け、且つハンガー係止部８を本体１の後方側（襖またはドア１１に近い側）に設けることによって重心が後方寄りとなり、たくさんの干し物を掛ける際に本体１が鴨居またはドアの上枠１０から外れにくくなり、安全性、安定性及び耐荷重性能を向上できる。
【考案の効果】
【０００８】
本考案の効果として釘を使用せずに２本のネジでしっかりと鴨居またはドアの上枠に固定することができ、襖またはドアを閉めた状態でも本体に当たらないような本体の固定部の幅を設けることにより、本体を固定したままでも襖またはドアを自由に開閉できるようになる。また、鴨居またはドアの上枠と平行方向に複数のハンガー係止部を設けることによりたくさんの干し物を掛けられ、そして固定部の上端部に滑り止めの役割を果たすギザギザした凹凸部を設け、且つハンガー係止部を本体の後ろ側（襖またはドアに近い側）に設けることによって、たくさんの干し物を掛けても本体が鴨居またはドアの上枠から外れにくくすることができ、安全性、安定性及び耐荷重性能を高めることができる。
【図面の簡単な説明】
【０００９】
【図１】室内干しハンガーの正面図を表す。
【図２】室内干しハンガーの背面図を表す。
【図３】室内干しハンガーを鴨居またはドアの上枠に固定した状態の左側面図を表す。
【図４】室内干しハンガーの上面図を表す。
【図５】室内干しハンガーの下面図を表す。
【図６】室内干しハンガーを鴨居またはドアの上枠に固定し、ハンガー係止部にハンガーを掛けた状態の背面図を表す。
【考案を実施するための形態】
【００１０】
以下、本考案の実施の形態を図面に基づき詳細に説明する。
【００１１】
図３は室内干しハンガーを鴨居またはドアの上枠１０に固定した状態の左側面図である。本体１は合成樹脂、木材または金属の材質で作ることが可能である。本体１をしっかりと鴨居またはドアの上枠に固定するために、マイナスドライバー、プラスドライバーや六角ドライバーなどの工具でネジを締められるように、ネジの頭部４の工具穴を十字穴、マイナス穴、すりわりや六角穴などの形状とする。また、ネジを締める際に鴨居またはドアの上枠に傷を付けないように、ネジの先端にゴムキャップ７を被るようにする。
【００１２】
２本のネジの頭部４を調整し、本体１を隙間なく鴨居またはドアの上枠１０の正面とくっ付けるように鴨居またはドアの上枠１０に掛け、ネジのゴムキャップ７を鴨居またはドアの上枠１０の下面にしっかりと当たるようにドライバーでネジを締めることによって、本体１を鴨居またはドアの上枠１０にしっかり固定し、且つ襖またはドア１１を閉めても本体１に当たらないような、固定部の下端部３の幅ｃを設ける。
【００１３】
図６は室内干しハンガーを鴨居またはドアの上枠１０に固定し、ハンガー係止部８にハンガーを掛けた状態の背面図である。鴨居またはドアの上枠１０と平行方向に複数のハンガー係止部８を設けることにより、たくさんの干し物を掛けられ、本体１の両端のネジ５で固定することにより、鴨居またはドアの上枠１０にかかる負荷が分散され、より安定に干し物を掛けられるようになり、さらに固定部の上端部２に滑り止めの役割を果たすギザギザした凹凸部９を設け、且つ図３のように、ハンガー係止部８を本体１の後方側（襖またはドア１１に近い側）に設けることによって重心が後方寄りとなり、たくさんの干し物を掛けても本体１が鴨居またはドアの上枠１０から外れにくくなり、安全性、安定性及び耐荷重性能を向上できる。
【実施例】
【００１４】
２本のネジの頭部４を手で調整し、図３のように本体１を隙間なく鴨居またはドアの上枠１０の正面とくっ付けるように鴨居またはドアの上枠１０に掛け、ネジのゴムキャップ７が鴨居またはドアの上枠１０の下面にしっかりと当たるようにドライバーでネジを締めることによって、本体１を鴨居またはドアの上枠１０にしっかりと固定する。本体１を隙間なく鴨居またはドアの上枠１０の正面とくっ付けるために、固定部の上端部２の幅ｂを居室の壁１２から出ている鴨居の幅ａを超えないように設け、約１．１ｃｍに設定する。一般的な鴨居またはドアの上枠１０の幅ｅは約２．５〜５．０ｃｍであるため、本体１を掛けてしっかりと固定するには、ネジ調整時にゴムキャップ７の頂面から固定部の上端部２のギザギザした凹凸部９までの距離を２．０〜５．５ｃｍの範囲と設定する。
【００１５】
そして同じく図３のように、固定部の下端部３の幅ｃを鴨居と襖の間、またはドアの上枠とドアの間ｄを超えないように設けることによって、襖またはドア１１を閉めても本体１に当たらないため、本体１を掛けて固定したままで襖またはドア１１を自由に開閉できる。一般的に固定部の下端部３の幅ｃが１．１ｃｍ前後が適当である。
【００１６】
また図６のように、鴨居またはドアの上枠と平行方向に複数のハンガー係止部８を設けることにより、たくさんの干し物を掛けられ、本体１の両端のネジ５で固定しているため、鴨居またはドアの上枠１０にかかる負荷が分散され、より安定にたくさんの干し物を掛けられるようになる。
【００１７】
図３は室内干しハンガーを鴨居またはドアの上枠に固定した状態の左側面である。干し物を掛ける際に干し物の重量により本体の重心が本体１の前方側（襖またはドア１１に遠い側）へ移り、鴨居またはドアの上枠１０から外れて落ちやすくなるため、固定部の上端部２に滑り止めの役割を果たすギザギザした凹凸部９を設け、さらにハンガー係止部８を本体１の後方側（襖またはドア１１に近い側）に設けることにより、重心が後方寄りとなり、たくさんの干し物を掛けても本体１が鴨居またはドアの上枠１０から外れにくくなる。
【産業上の利用可能性】
【００１８】
本考案にいうところの室内干しハンガーは、一般的な鴨居またはドアの上枠に掛けて傷なく固定することができ、且つ固定したままで襖またはドアを自由に開閉できることから、室内に洗濯物や洋服などを掛けたい場合に極めて便利に使用できるハンガー掛けである。また、ハンガー係止部が鴨居またはドアの上枠と平行方向に設けられているため、垂直方向に設けられている市販品よりあまり邪魔とならないし、さらにたくさんの干し物を掛けても、鴨居またはドアの上枠から外れにくい構造で作られているため、安全性、安定性及び耐荷重性能が高められていることから大いに歓迎されるものと考えられる。
【符号の説明】
【００１９】
１    本体
２    固定部の上端部
３    固定部の下端部
４    ネジの頭部
５    ネジのネジ部
６    ナット
７    ゴムキャップ
８    ハンガー係止部
９    ギザギザした凹凸部
１０    鴨居またはドアの上枠
１１    襖、障子またはドア
１２    居室の壁
１３    ハンガーの上部
【図１】
0003230581.tif 000003
【図２】
0003230581.tif 000004
【図３】
0003230581.tif 000005
【図４】
0003230581.tif 000006
【図５】
0003230581.tif 000007
【図６】
0003230581.tif 000008
【手続補正書】
【提出日】令和2年11月25日(2020.11.25)
【手続補正１】
【補正対象書類名】実用新案登録請求の範囲
【補正対象項目名】請求項１
【補正方法】変更
【補正の内容】
【請求項１】
本体（１）を鴨居またはドアの上枠（１０）に掛けられるように本体（１）の上側に垂直方向に突出する固定部の上端部（２）と、本体（１）の下側の両端に垂直方向に突出する固定部の下端部（３）を設け、固定部の下端部（３）にネジ（５）を通すための穴とナット（６）を入れるための溝を設けており、ネジ（５）を穴とナット（６）に通し、ネジの先端部にゴムキャップ（７）を被せ、２本のネジの頭部（４）を調整して鴨居またはドアの上枠（１０）の下面に当てることによって、本体（１）を鴨居またはドアの上枠（１０）にしっかり固定できるようになり、さらに固定した際に固定部の下端部（３）の幅（ｃ）を、鴨居と襖の間またはドアの上枠とドアの間（ｄ）を超えないように設け、襖またはドア（１１）を自由に開閉できることを特徴する室内干しハンガー。
【手続補正書】
【提出日】令和2年11月25日(2020.11.25)
【手続補正１】
【補正対象書類名】実用新案登録請求の範囲
【補正対象項目名】請求項１
【補正方法】変更
【補正の内容】
【請求項１】
本体（１）を鴨居またはドアの上枠（１０）に掛けられるように本体（１）の上側に垂直方向に突出する固定部の上端部（２）と、本体（１）の下側の両端に垂直方向に突出する固定部の下端部（３）を設け、固定部の下端部（３）にネジ（５）を通すための穴とナット（６）を入れるための溝を設けており、ネジ（５）を穴とナット（６）に通し、ネジの先端部にゴムキャップ（７）を被せ、２本のネジの頭部（４）を調整して鴨居またはドアの上枠（１０）の下面に当てることによって、本体（１）を鴨居またはドアの上枠（１０）にしっかり固定できるようになり、さらに固定した際に固定部の下端部（３）の幅（ｃ）を、鴨居と襖の間またはドアの上枠とドアの間（ｄ）を超えないように設け、襖またはドア（１１）を自由に開閉できることを特徴とする室内干しハンガー。